(57)【特許請求の範囲】
【請求項１】
装置本体と、前記装置本体に回転自在に保持されたリールと、前記リールに繰り出し可能に巻き取られる係留紐体と、前記リールの回転を解除自在に規制するロック機構と、を備えるとともに、前記装置本体には把持部が設けられ、前記把持部の端部近傍で前記ロック機構の操作部が前記装置本体に取り付けられたペット用リードにおいて、
前記ロック機構は、前記装置本体とは別体のユニットケースを備えており、このユニットケースが前記装置本体に脱着自在に取り付けられていることを特徴とするペット用リード。
【請求項２】
前記ロック機構が前記リールよりも上部位置に配されるとともに、前記装置本体には前記係留紐体の繰り出し部が設けられ、且つ前記係留紐体の繰り出し方向が、前記ロック機構に設けられた前記操作部の操作方向に対して急な角度をつけて形成されていることを特徴とする請求項１に記載のペット用リード。
【請求項３】
前記係留紐体を巻き取る方向に前記リールに回転力を付勢する回転付勢手段を備えるとともに、前記操作部を第一押し込み操作したときに前記リールの回転を阻止するロック手段と、
前記操作部を前記第一押し込み操作と同じ方向に第二押し込み操作したときに前記リールの回転を開放する解除手段と、
を備えていることを特徴とする請求項１又は２に記載のペット用リード。
【発明の詳細な説明】
【０００１】
【発明の属する技術分野】
本発明は、犬や小動物等首輪に掛止される引き紐を出し入れするペット用リードに関するものである。
【０００２】
【従来の技術】
家庭用で飼育されるペット、例えば犬には通常首輪が付けられると共に、この首輪には掛け止め具を介してロープやチェーン等の引き紐が掛止される。この引き紐の一例として、犬を散歩させる場合に好適な引き紐操作具、いわゆるペット用リードが普及している。
この引き紐操作具は、引き紐を出し入れすることができるもので、把持部を設けたケース内に渦巻きバネで巻き取り方向にバネ付勢された巻き取りリールを収容している。そして、前記把持部の近傍には、巻き取りリールを所定の位置に係止し、この係止を解除する係止手段が設けられている。このような引き紐操作具は、引き紐を適当な長さに引きだして犬を繋いでおくことができ、一方、係止を解除すると、引き紐がリールに巻き取られてケース内に収容される。このように、犬の散歩時に引き紐の長さを自由に調整することができる。このため、人が犬に合わせて振り回されるといったことが軽減される。
【０００３】
この種のペット用リードとしては、特開平４−３６０６３４号公報に記載の動物の引き紐操作具や、実公昭６２−４３９７４号公報に記載の係留紐用収納具がある。特開平４−３６０６３４号公報では、引き紐をケース内に巻き取りリールで繰り出し可能に巻き取り、この引き紐を係止、解除する手段を有する提案がされている。これは、装置本体に設けられた操作部をスライドさせることによって、リールの回転を止めて、引き紐を係止するものである。
また、実公昭６２−４３９７４号公報では、同様に引き紐をケース内に巻き取りリールで繰り出し可能に巻き取り、この引き紐を係止、解除する手段を有する提案がされている。ここでは、装置本体に設けられたリールの回転を止めたり、解除したりする操作部が設けられており、操作部は二段の押し込み操作によるものとされている。
【０００４】
【発明が解決しようとする課題】
このように、人が犬の散歩中に犬に合わせて振り回されるといったことを軽減するために上記のような提案がされている。しかし、特開平４−３６０６３４号公報に記載の動物の引き紐操作具では、引き紐を所定の長さに自由に調節することが可能であるが、装置本体にリールを止めたり、解除するロック機構を設けるには、操作部品やその他各種の部品を製造時に取り付ける必要がある。そのため、製造作業が複雑となり比較的長い時間を要するため、製造コストが高くなる。
【０００５】
また、操作部が把持部の端部でスライド式となっていることや、把持部の長手方向に対して、引き紐の繰り出し方向に大きな角度がつけられているので、犬の散歩中に、引き紐をスムーズに調整するには腕を上げなければならないため不便である。
さらに、実公昭６２−４３９７４号公報に記載の係留紐用収納具では、係留紐の引き出し、巻き込みと固定との操作を、片手で指１本で単に押すだけの単純な作業で行うことができ、押圧部が１個で、ケース側面に設けられており、係止装置の作動機構が安定しているとされているが、ここに提案されている装置においても、上記と同じく装置本体にリールを止めたり、解除するロック機構を設けるには、操作部品やその他各種の部品を製造時に取り付ける必要があるため、製造コストが高くなる。また、引き紐の繰り出し方向は把持部の長手方向に対して、大きな角度がつけられているので、不便である。
【０００６】
このように、これらのペット用に使用する係留紐体の収納具では、製造コストが高く、係留紐体を引き出すのに腕を上げなければならず、さらにはリールのロック機構の操作がしづらいという問題を同時に解決するものではなかった。
本発明はこのような事情に鑑みてなされたものであり、押し込み操作のみのロック機構を、装置本体とは別に製造することができるようにしたので製造コストを低く抑えることができ、引き紐の繰り出しをし易くしたので、操作がし易く犬の散歩時に利便性を有するペット用リードを得ることを目的とする。
【０００７】
【課題を解決するための手段】
本発明は上記目的を達成するため、次の技術的手段を講じている。
すなわち本発明は、装置本体と、前記装置本体に回転自在に保持されたリールと、前記リールに繰り出し可能に巻き取られる係留紐体と、前記リールの回転を解除自在に規制するロック機構と、を備えるとともに、前記装置本体には把持部が設けられ、前記把持部の端部近傍で前記ロック機構の操作部が前記装置本体に取り付けられたペット用リードにおいて、
前記ロック機構は、前記装置本体とは別体のユニットケースを備えており、このユニットケースが前記装置本体に脱着自在に取り付けられていることを特徴としている。
【０００８】
上記本発明によれば、装置本体に回転自在に保持されたリールと、このリールに巻き取られた係留紐体と、前記リールを開放及び解除するロック機構が備えらているペット用リードの前記ロック機構をユニット化して、前記ロック機構を装置本体と別体として脱着自在とされているので、前記ロック機構を構成する部品のみを装置本体とは別に組み上げて製造し、これを装置本体に装着することができる。
また、本発明にかかるペット用リードは、前記ロック機構が前記リールよりも上部位置に配されるとともに、前記装置本体には係留紐体の繰り出し部が設けられ、且つ前記係留紐体の繰り出し方向が、前記ロック機構に設けられた前記ロック機構の操作部の操作方向に対して急な角度をつけて形成されていることを特徴としている。
【０００９】
上記本発明によれば、装置本体からの係留紐体の繰り出し方向が、ロック機構の操作部の操作方向に対して、急な角度がつけられているため、装置本体を持った腕を下に降ろした状態でスムーズに係留紐体を繰り出すことができる。
さらに、本発明にかかるペット用リードは、前記係留紐体を巻き取る方向に前記リールに回転力を付勢する回転付勢手段を備えるとともに、前記ロック機構の操作部を第一押し込み操作したときに前記リールの回転を阻止するロック手段と、前記ロック機構の操作部を前記第一押し込み操作と同じ方向に第二押し込み操作したときに前記リールの回転を開放する解除手段と、を備えていることを特徴としている。
【００１０】
上記本発明によれば、リールのロックと解除がロック機構の操作部を一方向に押し込む操作だけで行うことができるので、係留紐体の出し入れをかかる操作部を押し込む操作だけで行うことができる。したがって、使用者はこまめに係留紐体の出し入れを行いたいときは、前記操作部の押し込み操作のみをすればいいので、操作性がひじょうに良好である。
【００１１】
【発明の実施の形態】
以下図面に基づいて本発明の実施の形態について説明する。
図１から図４は本発明に係るペット用リード１を示している。このペット用リード１の装置本体５は二つ割構造のケース状の巻き取り部８と把持部７から形成されており、前記装置本体５は、この装置本体５に回転自在に保持されたリール３０と、前記リール３０に繰り出し可能に巻き取られる係留紐体３と、前記リール３０の回転を解除自在に規制するロック機構２を備えている。さらに、前記巻き取り部８の側面に設けられた前記把持部７の端部近傍に前記ロック機構２の操作部６が配されている。また、このロック機構２の前記把持部７と反対側の巻き取り部８の側面には、Ｕ字形状の繰り出し口が設けられた係留紐体繰り出し部１０が隆起するように形成されている。
【００１２】
巻き取り部８は図４に示すように係留紐体３の巻き取りが可能とされたリール３０を、巻き取り部８の中で回転自在に維持できるようにされている。この装置本体５には、把持部７が一体に形成されている。この把持部７は、輪状を形成しており手を入れたときに持ちやすいようにグリップ形状になっている。
係留紐体３は、扁平状の樹脂性の紐体からなり、その先端には犬の首輪に係合うさせるフック具４が設けられている。なお、この係留紐体３には合成樹脂に限らず各種金属や、形状を鎖状としたものを使用することができる。
【００１３】
また、前記装置本体５には、把持部７の近傍であってその端部となる位置にロック機構２が設けられている。このロック機構２は単体で装置本体５に脱着自在とされており、リール３０の回転を止めたり解除するロック機構を有し、係留紐体３の繰り出しを所望に応じて規制することができるものである。
図３及び図４に示すように、装置本体５は左右に分割可能な構造を有しており、一方の半体（図３の右側）には、他方の半体（図３の左側）へ向けて、装置本体５の巻取部８の内部を横断するように回転枢軸１１が一体的に突設されている。この回転枢軸１１により、リール３０が回転自在に保持される。
【００１４】
また、リール３０の外周はフランジ形状が形成されており、このフランジ形状の溝部、即ちリール３０の外周部で、係留紐体３の巻き取りができるようになっているとともに係留紐体３の外れが防止されている。
そして、リール３０の内部には、リール３０を一方向への回転力を付勢する回転付勢手段３１が設けられている。この回転付勢手段３１によって図４における時計回りの回転が付勢される。なお、この回転付勢手段３１は、係留紐体３の有効長さ分の全てを巻回させた状態にしても、未だ縮径方向への弾性復元力が残存するようにされている。したがって、係留紐体３は、装置本体５内に全て収納された状態でも、常に収納方向へ引っ張り付勢されるようになっている。この状態から、係留紐体３を繰り出してリール３０を回転させれば、回転付勢手段３１が更に、弾性復元力を蓄えていくようになっている。
【００１５】
図５に示すように、ロック機構２は、ユニットケース１５と，このユニットケース１５の上部に配された操作部６、及び前記ユニットケース１５に枢支された駆動部材２３から構成されている。図４に示すようにユニットケース１５は装置本体５の把時部７の近傍に形成された矩形状の枠に収まる寸法に形成されている。操作部６は駆動部材２３の一端に装着され、その一部が装置本体５の外方へ突出されている。また、他の一端にはロック爪１６が取り付けられている。
ロック爪１６は凹状を形成しており、この左右の爪部がリール３０のフランジ部に複数設けられた係合爪３２と係合又は離脱可能なようにされている。操作部６が装置本体５の外方へ最も突出した開放状態では、このロック爪１６は、リール３０の係合爪３２と脱離した状態となっており、この状態から操作部６を装置本体５の内方へ押し込んだ押圧状態ではロック爪１６がリール３０の係合爪３２へ係合して、リール３０が停止される。さらに、前記開放状態及び前記押圧状態でロック爪１６が停止可能とされている。
【００１６】
図６及び図７は、ロック機構２を表した断面図である。図５に示すようにユニットケース１５は上部３５と底部３６に２分割されている。軸受部４２は底部３６から起立して形成されており、可動棒２０をこの軸受部４２と上部３５で押さえ込んでいる。摺動溝台座部３９は駆動部材２３に取り付けられており、かかる駆動部材２３の底部から隆起するように構成されている。
摺動溝台座部３９には、作動棒２０の径より若干広い摺動溝４０が形成されており、作動棒２０がこの摺動溝４０に沿って回動できるようになっている。この摺動溝４０は図６（ａ）に示すように、内方先端の第一切替部４５を頂点として、第二切替部４６を通って第三切替部４７を過ぎて第四切替部４８から、再び第一切替部４５に周回するように溝が切られている。
【００１７】
さらに、この摺動溝４０の底部には図６（ｂ）に示すように、第一切替部４５から摺動方向４４へ移動するに従い迫り上がるように高低差が形成され、第二切替部４６で作動棒２０を落とし込むように段差が形成されている。続いて、第二切替部４６から第三切替部４７へ移動するに従い迫り上がるように高低差が形成され、同様に第三切替部４７で作動棒２０を落とし込むように段差が形成されている。
同じように第三切替部４７から第四切替部４８へ、及び第四切替部４８から第一切替部４５へ移動するに従い高低差がつけられており、それぞれの切替部で作動棒２０を落とし込むように段差が形成されている。作動棒２０の内方の一端は、この摺動溝４０に設置されており、他の一端が軸受部４２の一部に当接され、この軸受部４２の当接部を支点として作動棒２０が回動するようになっている。
【００１８】
前記のとおり駆動部材２３には摺動溝４０が設けられた摺動溝台座部３９とロック爪１６が連結されており、これらは一体として駆動するようにされている。即ち、操作部６を装置本体５の内方へ押し込んだときは、それと同時に摺動溝４０及びロック爪１６が内方へ移動する。このとき、ユニットケース１５は、装置本体５に装着され固定されているので、このユニットケース１５から起立して設けられた軸受部４２の移動は起こらない。
また、作動棒２０の一端が当接されている軸受部４２の反対面と、駆動部材２３の外方の内側面の間には、かかる駆動部材２３を常に外方へ押し出すようにしているバネ４１が設けられている。
【００１９】
作動棒２０はステンレス鋼材を使用しているが、その他各種金属や樹脂を使用することができる。これ以外の各種部材は合成樹脂で製作されている。
次に、ロック機構２の機能を説明する。図４において、ロック爪１６が、リール３０に設けられた係合爪３２からは離脱しているため、リールの回転が解除されて、回転付勢手段３１によって引き出しや、巻き込みが可能となっている。ロック爪１６を内方へ移動させれば、リール３０の回転が阻止され係留紐体３の巻き込みが行われず、引き出された係留紐体３があれば、そのままの状態で係止固定される。
【００２０】
図７（ａ）はリール３０が解除された状態を表し、図７（ｂ）はリール３０がロックされた状態を示している。解除状態では、ロック機構２において、作動棒２０の内方の一端は摺動溝４０の第一切替部４５に当接されている。
この状態から、操作部６を内方へ第一押し込み操作すると、駆動部材２３が同時に内方に移動するとともに、ロック爪１６も内方へ移動する。このとき第一切替部４５に当接されていた作動棒２０の一端は、矢印で示す摺動方向４４へ移動を開始する。摺動溝台座部３９に形成された阻止突起４３の内方の先端部が、第一切替部４５の中心から僅かに駆動部材側壁２４側へずれており、摺動方向４４と反対側には段差が形成されているので、作動棒２０は駆動部材側壁２５側へ誘導されることになる。
【００２１】
さらに操作部６を押し込むと作動棒２０が第二切替部４６に到達する。この第二切替部４６で手を離して操作部６を押し込む操作を停止することにより作動棒２０は方向を切り替えると同時に、バネ４１が外方へ駆動部材２３を押し出す作用により、駆動部材２３と操作部６が外方へ押し戻される。このとき、作動棒２０の一端はそこまで移動してきた摺動溝４０より、低い位置へ落とされているため、もとの摺動溝４０へは戻らずに第三切替部４７へ向かう摺動方向４４へ誘導される。
【００２２】
そして、駆動部材２３に取り付けられている摺動溝台座部３９が外方へ移動することにより、作動棒２０は第三切替部４７へ到達する。このときの状態を図７（ｂ）に示す。このとき、前記のようにロック爪１６は内方へ最も突出した状態となるので、係合爪３２と係合してリール３０の回転が停止される。
再び、操作部６を内方に僅かに第二押し込み操作をすると、作動棒２０の一端は、摺動溝４０に段差が形成されているため第二切替部４６の方向へは戻らずに、第三切替部４７を過ぎて第四切替部４８へ移動を始める。作動棒２０が第四切替部４８に到達し操作部６がそれ以上押し込めない状態になった状態で、作動棒２０は方向を切り替える。ここで操作部６から手を離すことにより、バネ４１の作用で駆動部材２３が外方へ押し戻され、段差が形成されているため作動棒２０がもとの第三切替部４７の方向へは戻らずに、第一切替部４５の方向への移動を開始する。そして、作動棒２０が図７（ａ）で示すように第一切替部４５へ到達し、ロック爪１６が外方へ移動し、リール３０が解除される。
【００２３】
また、摺動溝４０には作動棒２０の滑りを良好にするためグリースが塗布されるが、摺動溝台座部を各種のフッ素樹脂やその他の摺動部材で製作して、作動棒２０の滑り性を向上させることもできる。
以上のように、常態においては、リール３０は解除された状態であるため、係留紐体３の出し入れが自在となっており、操作部６を押し込んでリール３０をロックした状態では係留紐体３の引き出しが阻止される。したがって、係留紐体３の引き出し、巻き込みと固定との操作を片手で、把持部７を持つ手の親指により簡単に操作でき、特にロック操作は親指における第一関節の屈伸動作で操作できるものである。
【００２４】
以上のようにロック機構２のみが別体とされているため、装置本体５とは別にロック機構２のみで製作を行い、組み上がったロック機構２を装置本体５に組み込むだけで本発明にかかるペット用リードが製作される。このため、製造コストをひじょうに低く抑えることができる。また、図１及び図２に示すように、係留紐体繰り出し部１０が操作部６の操作方向とほぼ６０°の角度をつけて形成されているため、把時部７を持つ手の腕を係留紐体３の引き出し方向に上げる必要がなく、腕を下に降ろした状態のままで操作部６を押し込み操作できるとともに、係留紐体３の引き出しをスムーズに行うことができるので便利である。
【００２５】
なお、本発明にかかるペット用リード１を使用するユーザーが、前記ロック機構２をワンタッチで取り替え自在にできるような構成を採用することも勿論可能である。また、前記実施例においては装置本体５を左右に分割した構成とし、巻取部８の中心よりの円形部（図１参照）の色彩のみを変更したデザインとしているが、巻取部８の半体を脱着自在な蓋部としたり、巻取部８の外側を被うための取り替え可能なケースカバーを別途設け、別の色彩や模様が施された前記蓋部や前記ケースカバーを他種類製作し、ユーザーがそれらを選んで取り付けることによって、自由にペット用リード１のデザインを変更できるような仕様とすることもできる。
【００２６】
本発明の実施形態は以上のとおりであるが、その他の実施形態に応じた設計変更は可能である。
【００２７】
【発明の効果】
押し込み操作のみのロック機構を、装置本体とは別に製造することができるようにしたので製造コストを低く抑えることができ、引き紐の繰り出しをし易くしたので、操作がし易く犬の散歩時に利便性を有するペット用リードを得ることができる。
【図面の簡単な説明】
【図１】本発明にかかるペット用リードの斜視図である。
【図２】同ペット用リードの側面図である。
【図３】同ペット用リードの平面図である。
【図４】装置本体の半体を取った側面図である。
【図５】ロック機構の側面図である。
【図６】（ａ）装置本体に組み込んだロック機構の断面図である。
（ｂ）ロック機構の側方の断面図である。
【図７】（ａ）リールの解除状態における、装置本体に組み込んだロック機構とその周辺の断面図である。
（ｂ）リールのロック状態における、装置本体に組み込んだロック機構とその周辺の断面図である。
【符号の説明】
２    ロック機構
３    係留紐体
６    操作部
１５  ユニットケース
１６  ロック爪
２０  作動棒
２３  駆動部材
３０  リール
３２  係合爪
４０  摺動溝
４２  軸受部
４４  摺動方向
４５  第一切替部
４６  第二切替部
４７  第三切替部
４８  第四切替部
【図１】
0003777139.tif 000002
【図２】
0003777139.tif 000003
【図３】
0003777139.tif 000004
【図４】
0003777139.tif 000005
【図５】
0003777139.tif 000006
【図６】
0003777139.tif 000007
【図７】
0003777139.tif 000008